(57)【要約】【課題】印刷が可能であり、皮膚が傷つけられることを防止し、着用感が良くて、アレルギーのような皮膚トラブルが発生することを防止するリストバンドを提供する。【解決手段】本発明は、使い捨てリストバンドに関し、特に繊維材質の一種のナイロン布を利用してリストバンドを製作することにより、印刷が可能であることはもちろん、皮膚が傷つけられることを防止し、着用感が良くて、アレルギーのような皮膚トラブルが発生することを防止する使い捨てリストバンドに関する。【選択図】図２
2015022312.tif 000002
【特許請求の範囲】
【請求項１】
繊維材質で形成されており、ユーザの手首に巻いて着用されるように帯形状で形成される薄膜ベースフィルム２１と、
前記薄膜ベースフィルム２１の上面にコーティングされる第１コーティング層２２と、
前記薄膜ベースフィルム２１の下面にコーティングされる第２コーティング層２３と、
前記第１コーティング層２２または前記第２コーティング層２３の上に付着され、前記薄膜ベースフィルム２１の長さ方向の端部に配置されて前記薄膜ベースフィルム２１を手首に巻いた後、固定させる粘着テープ２４と、
を備えることを特徴とする使い捨てリストバンド。
【請求項２】
前記薄膜ベースフィルム２１は、ナイロン布（ｎｙｌｏｎ  ｃｌｏｔｈ）材質からなることを特徴とする請求項１に記載の使い捨てリストバンド。
【請求項３】
前記第１コーティング層２２及び前記第２コーティング層２３は、ポリアミドを前記薄膜ベースフィルム２１の上下面にディップコーティング（Ｄｉｐ  ｃｏａｔｉｎｇ）し、前記薄膜ベースフィルム２１にコーティングされた層であることを特徴とする請求項２に記載の使い捨てリストバンド。
【請求項４】
前記粘着テープ２４は両面テープであり、前記両面テープの外側面には剥離紙２４ｂが付着されていることを特徴とする請求項３に記載の使い捨てリストバンド。
【請求項５】
前記薄膜ベースフィルム２１の一側部には、プリンタによって情報が印刷される固有情報欄２１ａが形成されていることを特徴とする請求項１〜４のいずれか一項に記載の使い捨てリストバンド。
【発明の詳細な説明】
【技術分野】
【０００１】
本発明は、ユーザの手首に着用する使い捨てリストバンドに関し、より詳しくは、着用者の特有な固有情報をはじめとする各種情報を表示するための使い捨てリストバンドに関する。
【背景技術】
【０００２】
一般的に、病院及び医院のような医療施設では、患者を管理するために患者の名前、年齢、性別、血液型、入院病棟などを含む患者管理情報が表示された患者管理用リストバンドを使用する。
【０００３】
また、最近では、各種演劇やコンサートのような公演会場、大型宴会飲食店及び会議場などでも出入者にリストバンドを提供して着用させることにより、座席位置や立場許容有無をはじめとする多様な情報を提供する。
【０００４】
一方、以上のような使い捨てリストバンドは、韓国公開実用新案第１９９８−０１６２２９号「メモ紙挿入部が取り付けられたリストバンド」及び韓国公開特許第２０１３−００８３４４８号「リストバンド、リストバンド連続体及びリストバンドの巻き方法」などで多様な目的で多様なタイプのものが公開されている。
【０００５】
例えば、使い捨てリストバンドは、図１の（ａ）のように、ベースフィルム１１、接着層１２及び表示フィルム１３等を含んでおり、ベースフィルム１１の切断線（Ｃ）を切り出して接着層１２を露出させた後、手首に着用できるようにする。
【０００６】
また、図１の（ｂ）のように表示フィルム１３には、手記欄１３ａ及び広告部１３ｂが備えられており、手記欄１３ａには、その着用者の特有な固有情報を管理者が直接書くか、固有情報が印刷されたステッカーを付けるか又は挿入する。
【０００７】
しかし、以上のような従来技術の使い捨てリストバンドのほとんどは、ベースフィルム１１や表示フィルム１３としてコーティングされた紙を使用することが普通である。したがって、紙の鋭い側面に手首が傷つけられるという問題があった。
【０００８】
また、容易に破れずに湿気に強い材質としてビニルや合成レジンを使用する場合には、アレルギーのような各種皮膚トラブルが発生するため、長時間着用する場合や、皮膚が敏感な人あるいは子供に特に問題が生ずる。
【０００９】
これにより、ベースフィルム１１や表示フィルム１３の代わりに人工皮革を使用し、脱着手段としてドットボタン（ｄｏｔ  ｂｕｔｔｏｎ）を使用することもあるが、この場合には、単価が上がり、ドットボタンによって手首が押さえられて着用感が良くないという問題点がある。
【００１０】
また、従来には、材質の特性上プリンタを利用して表示フィルム１３に着用者の固有情報を印刷することが難しく、印刷をしても容易に滲んだり消されるので、管理者が直接書く方式を使用する不具合があった。
【発明の概要】
【発明が解決しようとする課題】
【００１１】
本発明は、上述したような問題点を解決するためのもので、繊維材質の一種のナイロン布を利用してリストバンドを製作することにより、印刷が可能であることはもちろん、皮膚が傷つけられることを防止し、着用感が良く、アレルギーのような皮膚トラブルが発生することを防止する使い捨てリストバンドに関する。
【課題を解決するための手段】
【００１２】
このために、本発明に係る使い捨てリストバンドは、繊維材質で形成されており、ユーザの手首に巻いて着用されるように帯形状で形成される薄膜ベースフィルムと、前記薄膜ベースフィルムの上面にコーティングされる第１コーティング層と、前記薄膜ベースフィルムの下面にコーティングされる第２コーティング層と、前記第１コーティング層または前記第２コーティング層の上に付着され、前記薄膜ベースフィルムの長さ方向の端部に配置されて前記薄膜ベースフィルムを手首に巻いた後、固定させる粘着テープと、を備えることを特徴とする。
【００１３】
このとき、前記薄膜ベースフィルムは、ナイロン布（ｎｙｌｏｎ  ｃｌｏｔｈ）材質で形成されていることが好ましい。
【００１４】
また、前記第１コーティング層及び前記第２コーティング層は、ポリアミドを前記薄膜ベースフィルムの上下面にディップコーティング（Ｄｉｐ  ｃｏａｔｉｎｇ）し、前記薄膜ベースフィルムにコーティングされた層であるのが好ましい。
【００１５】
また、前記粘着テープは両面テープであり、前記両面テープの外側面には剥離紙が付着されていることが好ましい。
【００１６】
また、前記薄膜ベースフィルムの一側部には、プリンタによって情報が印刷される固有情報欄が形成されていることが好ましい。
【発明の効果】
【００１７】
以上のような本発明は、使い捨てリストバンドを構成する薄膜ベースフィルムとして繊維材質を使用する。特に、繊維材質のうちナイロン布を使用する。
【００１８】
したがって、印刷特性が良くて各種情報をプリンタで印刷できることはもちろん、着用感が良くて手首が傷つけられず、皮膚トラブルが発生しない。
【００１９】
また、本発明は、薄膜ベースフィルムの上面と底面にそれぞれ保護用コーティング層として、ポリアミドをディップコーティング方式でコーティングする。
【００２０】
したがって、印刷特性及び着用感などがさらに向上し、アレルギー反応が起きることを防止することができる。
【図面の簡単な説明】
【００２１】
【図１】従来技術に係る使い捨てリストバンドを示した図である。
【図２】本発明に係る使い捨てリストバンドを示した分解図である。
【図３ａ】本発明に係る使い捨てリストバンドの第１使用例である。
【図３ｂ】本発明に係る使い捨てリストバンドの第２使用例である。
【図４】本発明に係る使い捨てリストバンドの製造方法を示した例である。
【図５】本発明に係る使い捨てリストバンドの印刷方法を示した例である。
【発明を実施するための形態】
【００２２】
以下、添付された図面を参照して、本発明の好ましい実施例に係る使い捨てリストバンドについて詳細に説明する。
【００２３】
図２に示したように、本発明に係る使い捨てリストバンド２０は、薄膜ベースフィルム２１と、第１コーティング層２２と、第２コーティング層２３と、粘着テープ２４とを備える。
【００２４】
このとき、第１コーティング層２２は、薄膜ベースフィルム２１の上面にコーティングされ、第２コーティング層２３は、薄膜ベースフィルム２１の下面にコーティングされる。
【００２５】
粘着テープ２４は、第１コーティング層２２または第２コーティング層２３の上に付着される。ただし、薄膜ベースフィルム２１の上面が印刷面の場合には、その反対側の第２コーティング層２３に粘着テープ２４が付着されることが好ましい。
【００２６】
一方、以上のような構成において、薄膜ベースフィルム２１は繊維材質で形成され、また、ユーザの手首に巻いて着用することができるように帯形状で形成されている。
【００２７】
使用可能な繊維材質は、第一に印刷が可能であり、第二に着用感が良くて鋭い側面に手首が傷つけられることなく、第三に皮膚が敏感な人も着用することができるように人体に無害であり、第四に耐久性及び耐湿性に優れるべきである。
【００２８】
本発明は、上記したような条件を満足する繊維材質として、ナイロン布（ｎｙｌｏｎ  ｃｌｏｔｈ）を使用する。ナイロン布は、ナイロン繊維で作製した「ｃｌｏｔｈ」であって、ここで「ｃｌｏｔｈ」は織物を意味する。ナイロンは、合成高分子ポリアミドの総称で、アミド結合−ＣＯＮＨ−に連結されていて、鎖状の高分子である。
【００２９】
特に、ナイロン布は、一般的な繊維とは異なり、印刷性が非常に優れている。したがって、図３ａ及び図３ｂのようにプリンタなどを利用して着用者の固有情報はもちろん、その他の付加情報などを印刷して使用することができる。
【００３０】
例えば、図３ａのように使い捨てリストバンドが病院で使用される場合には、患者用リストバンドとして利用される。このとき、固有情報欄２１ａには、患者の名前、年齢、性別、血液型、入院病棟などが印刷される。
【００３１】
固有情報欄２１ａの以外の部分の付加情報欄２１ｂには、病院の名前、病院の連絡先、及び協力業者や当該病院の広告（公益広告を含む）等が印刷され、上のような各種情報はバーコード（ｂａｒｃｏｄｅ）とともに印刷されることもある。
【００３２】
ただし、固有情報欄２１ａの地色は白色が好ましいが、その他の部分の付加情報欄２１ｂは、使用先の特性に合うように様々な地色が印刷されてもよい。使用先が病院であればその病院を象徴する色が地色として使用される。
【００３３】
他の例として、図３ｂのように使い捨てリストバンドがコンサート場で使用される場合には、固有情報欄２１ａには、コンサートの日時及び割り当てられた座席番号などが印刷され、その他の部分の付加情報欄２１ｂ’には、コンサートの主題、企画会社及び各種広告が印刷される。
【００３４】
また、ナイロン布は人体に無害であるが、下記の表はナイロン布の重金属含量を韓国原糸織物試験研究院に依頼して得られた結果である。試料は、ＩＳＯ  １０５  Ｅ０４方法によって人工酸性汗液で３７℃で４時間の間に抽出し、重金属含量はＩＣＰ−ＡＥＳ、ＵＶ／ＶＩＳ  分光光度法（Ｓｐｅｃｔｒｏｐｈｏｔｏｍｅｔｒｙ）を用いて測定した。
【００３５】
【表１】
2015022312.tif 000003
表１のように、ナイロン布は、人体に無害であることを知らせる様々な指標のうち重金属含量が極めて少ないことが分かる。もちろん、その他、他の指標も人体に無害であると検査されたが、それに対する試験成績表は省略する。
【００３６】
また、ナイロン布は、図３ａの部分拡大図に示したように、緻密な繊維組織からなるので、よく破れないなど耐久性に優れており、水や汗に濡れないなど耐湿性にも優れている。
【００３７】
もちろん、緻密な繊維組織からなるので、上記で既に説明したように写真のような鮮明な印刷が可能であり、印刷された文字や図形などが消されるか滲むことが防止される。
【００３８】
次に、第１コーティング層２２及び第２コーティング層２３は、薄膜ベースフィルム２１を保護するもので、第１コーティング層２２は薄膜ベースフィルム２１の上面にコーティングされ、第２コーティング層２３は薄膜ベースフィルム２１の下面にコーティングされる。
【００３９】
このとき、第１コーティング層２２及び第２コーティング層２３は、それぞれポリアミド１００％からなるが、ポリアミドを薄膜ベースフィルム２１の上下面にディップコーティング（Ｄｉｐ  ｃｏａｔｉｎｇ）して形成される。
【００４０】
ディップコーティングとは、被コーティング材をコーティング溶液またはスラリーに浸漬して被コーティング材の表面に前駆体（ｐｒｅｃｕｒｓｏｒ）層を形成した後、適当な温度で焼成して塗膜を得る方法をいい、浸漬被覆法という。
【００４１】
特に、ポリアミドは知られたように印刷性に優れており、アレルギー反応が調査されず、重さが軽くて、感触が非常に良い。したがって、本発明は、ポリアミド材質の第１コーティング層２２及び第２コーティング層２３を選択して薄膜ベースフィルム２１のコーティング材として使用したのである。
【００４２】
次に、粘着テープ２４は、本発明の使い捨てリストバンドを手首に巻いた後、固定するのに使用されるもので、第１コーティング層２２または第２コーティング層２３の上に付着される。ただし、好ましくは、薄膜ベースフィルム２１の上面が印刷面であるため、その反対側の第２コーティング層２３の上に粘着テープ２４が付着される。
【００４３】
また、このような粘着テープ２４は、薄膜ベースフィルム２１の長さ方向の端部側に局部的に付着されている。したがって、ユーザは、薄膜ベースフィルム２１を手首に巻いた後、粘着テープ２４が付着された薄膜ベースフィルム２１の一部分を交差させて手首に結合させる。
【００４４】
図２では粘着テープ２４として両面テープを一例として図示した。両面テープは、両面に粘着物質が塗布された粘着紙２４ａと、前記粘着紙２４ａの底面に付着された剥離紙２４ｂとを含む。したがって、剥離紙２４ｂを除去すれば直ちに着用が可能となる。
【００４５】
以下、上記したような構成からなる本発明の使い捨てリストバンドの製造方法、及び、それにより製造された使い捨てリストバンドをプリンタに挿入して各種情報を出力する方法について説明する。
【００４６】
まず、本発明の使い捨てリストバンドを製造するとき、ナイロン布からなる薄膜ベースフィルム２１の生地を準備する。生地は、一度に複数の使い捨てリストバンドを製造することができるように長さが長い。
【００４７】
次に、準備された薄膜ベースフィルム２１の原材料に複数の固有情報欄２１ａ及び付加情報欄２１ｂを連続して印刷し、このとき、固有情報欄２１ａは空欄に残して、付加情報欄２１ｂには地色及び使用先、宣伝文句及び連絡先などを印刷する。
【００４８】
印刷は、オフセット（ｏｆｆｓｅｔ）印刷、輪転（ｒｏｔａｒｙ  ｐｒｅｓｓ）印刷、グラビア（ｇｒａｖｕｒｅ）印刷、マスタ（ｍａｓｔｅｒ）印刷、ホットスタンピング（ｈｏｔ  ｓｔａｍｐｉｎｇ）印刷、スクリーン（ｓｃｒｅｅｎ）印刷、パッド（ｐａｄ）印刷、ＵＶ印刷、デジタル印刷、及び転写（ｄｅｃａｌ  ｃｏｍａｎｉａ）印刷などを利用することができる。
【００４９】
本発明は、薄膜ベースフィルム２１として組織が緻密な繊維材質を使用する。特に、印刷性が非常に優れたナイロン布を使用する。したがって、印刷方法に特別な制限なく、様々な印刷方法を使用することができ、印刷品質も非常に優れる。
【００５０】
次に、印刷を終了した薄膜ベースフィルム２１の生地の上下面にポリアミド材質からなる第１コーティング層２２及び第２コーティング層２３をディップコーティングし、第１コーティング層２２及び第２コーティング層２３がコーティングされた薄膜ベースフィルム２１の生地を一定時間乾燥して硬化させる。
【００５１】
次に、図４に示したように硬化が完了すれば、個別の使い捨てリストバンドの大きさ及び形状に合うように切り取り線を形成する作業を行い、切り取り線作業が完了したものは巻取りローラに巻いて完成品として提供する。
【００５２】
次に、図５に示したように、巻取りローラ（Ｒ）を特殊プリンタ（Ｐ）に装着して使い捨てリストバンドを提供し、特殊プリンタ（Ｐ）は使い捨てリストバンドの固有情報欄２１ａに着用者の固有情報を印刷する。着用者の固有情報は、あらかじめ決定されるものではないため、このような最終ステップで印刷する。
【００５３】
このとき、着用者の固有情報は、キーボード等を介して入力することもでき、特殊プリンタ（Ｐ）で印刷が終了した部分は出力が行われる。したがって、管理者は切り取り線に沿って切り出して着用者に提供し、着用者は粘着テープ２４の剥離紙２４ｂを除去して着用する。
【００５４】
以上、本発明の特定実施例について上述した。しかし、本発明の思想及び範囲はこのような特定実施例に限定されるものではなく、本発明の要旨を変更しない範囲内で多様に修正及び変形が可能であることは、本発明が属する技術分野で通常の知識を有する者であれば理解するはずである。
【００５５】
したがって、以上で記述した実施例は、本発明が属する技術分野で通常の知識を有する者に発明の範ちゅうを完全に知らせるために提供されるものであるため、すべての面で例示的なものであり、限定的なものではないと理解しなければならず、本発明は、請求項の範ちゅうによって定義されるだけである。
【符号の説明】
【００５６】
２１：薄膜ベースフィルム（ナイロン布）
２１ａ：固有情報欄
２１ｂ：付加情報欄
２２：第１コーティング層（ポリアミド）
２３：第２コーティング層（ポリアミド）
２４：粘着テープ
２４ａ：粘着紙
２４ｂ：剥離紙
Ｒ：巻取りローラ
Ｐ：特殊プリンタ
【図１】
2015022312.tif 000004
【図２】
2015022312.tif 000005
【図３ａ】
2015022312.tif 000006
【図３ｂ】
2015022312.tif 000007
【図４】
2015022312.tif 000008
【図５】
2015022312.tif 000009